(57)【要約】【課題】プリントシステムのグローバライズの自動化。【解決手段】現在位置測定機能を有し、現在位置測定機能により分かった位置情報を元にプリンタシステムの各種設定を変更することを特徴としたプリントシステム。【選択図】　　　　図１
2004038662.tif 000002
【特許請求の範囲】
【請求項１】
現在位置測定機能を有し、現在位置測定機能により分かった位置情報を元にプリンタシステムの各種初期設定の変更が可能であることを特徴としたプリントシステム。
【請求項２】
前記請求項１に述べたプリンタシステムとは印字機能を有する印字装置に加えて印字装置と通信し印字動作を指示するために用いられるコンピュータ上で動作するプリンタドライバソフトウエアも含むものである。
【発明の詳細な説明】
【０００１】
【発明の属する技術分野】
本発明はプリントシステムのグローバライズの自動化に関するものである。
【０００２】
【従来の技術】
従来、プリントシステムの各種初期設定は地域ごとに最適なものがあるために各地域でローカライズの作業を行っていた。例えば標準設定の印字モードはプリンタドライバで地域ごとに標準で設定されているが、それは各地域でどのような印字モードが頻繁に使われ、好まれるかによって決定されるものであった。また標準として設定される紙サイズも北米地区はレター、ヨーロッパ、アジアはＡ４といった具合に地域差があった。そのために元になるプリンタシステムを各地の特色に従い書き換える作業が生じていた。このために生じる作業はすべてコスト増という形で価格増、利益減という形に跳ね返り、製造者、販売会社、顧客にとって不利益になるものであった。またローカライズをユーザが行う構成の場合にはユーザはローカライズのための作業に習熟する必要があり、その結果として初期設定の複雑さが増してしまうこともあった。
【０００３】
上記のような難点から簡易なローカライズの方法が今までにも提供されてきた。例えば特開平０７−２９９９４７では選択したい言語のプリンタ表示器にかぶせるベゼルオーバレイ（表示器のカバーのようなものでスイッチの説明などが書かれているもの）により各国言語に対応した設定を指示する構成になっていた。ベゼルオーバレイの裏面には突起があり、プリンタのスイッチを選択的に押すことで設定が自動的にされるようになっていた。この構成は簡易ではあるが対応できる種類が選択できるベゼルオーバレイの枚数で決まるために実際にはいくつかの代表的な言語にしか対応できず、さらにきめ細やかな対応をする場合にはスイッチの増加、ベゼルオーバレイの枚数増加によりコストアップ、機器構成の煩雑化が生じる。また完全に自動で設定が行われないという難点もある。さらに最近の傾向としてプリンタのコストダウンのために液晶などの表示器をなくし、操作性の向上のためにプリンタのスイッチを減らし、ユーザーインターフェイスはコンピュータ上で行うようになってきているために表示器にかぶせるベゼルオーバレイにより設定を変更する方法自体がとりにくくなってきているという現状もある。以上を鑑みると今後はこの方法によるローカライズには難点があるといえよう。
【０００４】
【発明が解決しようとする課題】
本発明では上記の難点を鑑み、プリントシステム自体が自動的にローカライズの作業を行うことができるようにしようとするものである。
【０００５】
【課題を解決するための手段】
本発明では上記の課題を実現するために、現在位置測定機能を有し、現在位置測定機能により分かった位置情報を元にプリンタシステムの各種設定を変更することを特徴としたプリントシステム。なおここで述べたプリンタシステムとは印字機能を有する印字装置に加えて印字装置と通信し印字動作を指示するために用いられるコンピュータ上で動作するプリンタドライバソフトウエアも含むものである。
【０００６】
【発明の実施の形態】
（実施例１）
本実施例はコンピュータにプリンタを接続してプリントするプリントシステムについてである。構成は図２に示す。本発明の構成項目である現在位置測定機能はプリンタに現在位置測定装置としてある。これは例えばＧＰＳのように単独で現在地を検知できるものである。
【０００７】
本実施例では次のようにしてローカライズの自動化を実現する。すなわちユーザーが初期設定をプリントシステムに指示すると、まずプリンタの現在位置測定装置がプリンタの所在地の変化を検知する。そうすると現在位置測定装置は現在地を正確に計測する。そして現在地の情報をコンピュータと接続したＩ／Ｆを通して現在位置測定装置はプリンタドライバに位置情報を知らせる。
【０００８】
現在位置測定装置から現在位置情報を受け取るとプリンタシステムの設定指定手段が位置情報−設定変換テーブルを参照することにより位置情報をローカライズのための設定情報に変換する。ここで言うローカライズのための設定情報とは各地域で好まれる印字モードの初期設定などを選択する情報である。このローカライズのための設定情報を設定指定手段がプリンタドライバに伝える。プリンタドライバは設定情報を元にプリントシステムを初期設定し、設定内容を不揮発情報として保存する。
【０００９】
以上のプロセスによりプリンタ設定のローカライズの自動化が実現できる。
【００１０】
（実施例２）
本実施例はコンピュータにプリンタを接続してプリントするプリントシステムについてである。構成は図３に示す。本発明の構成項目である現在位置測定機能はコンピュータに現在位置測定ソフトとしてある。これは例えばインターネットのＧＰＳサイトに自動でアクセスして現在地を検知するソフトであったり、コンピュータのシステム情報にある位置情報を読み出す機能であったりする。
【００１１】
本実施例では次のようにしてローカライズの自動化を実現する。すなわちユーザーが初期設定をプリントシステムに指示すると、まずコンピュータの現在位置測定ソフトがプリンタの所在地の変化を検知する。そうすると現在位置測定ソフトは現在地を正確に計測する。そして現在地の情報をコンピュータ上の不揮発性メモリを通して位置検出装置はプリンタドライバに位置情報を知らせる。
【００１２】
現在位置測定装置から現在位置情報を受け取るとプリンタシステムの設定指定手段が位置情報−設定変換テーブルを参照することにより位置情報をローカライズのための設定情報に変換する。ここで言うローカライズのための設定情報とは各地域で好まれる印字モードの初期設定などを選択する情報である。このローカライズのための設定情報を設定指定手段がプリンタドライバに伝える。プリンタドライバは設定情報を元にプリントシステムを初期設定し、設定内容を不揮発情報として保存する。
【００１３】
以上のプロセスによりプリンタ設定のローカライズの自動化が実現できる。
【００１４】
【発明の効果】
上記のように、現在位置測定機能を有し、現在位置測定機能により分かった位置情報を元にプリンタシステムの各種設定を変更することが可能になることにより、プリントシステムのローカライズ作業が自動的に行えるようになる。このことにより従来製品コストとしてかかってきたローカライズのための作業コストが削減でき、ユーザーが初期設定に要する労力を低減することが可能になる。
【図面の簡単な説明】
【図１】本発明の設定指定手段の構成図。
【図２】実施例１の実施系。
【図３】実施例２の実施系。
【図１】
2004038662.tif 000003
【図２】
2004038662.tif 000004
【図３】
2004038662.tif 000005